(57)【要約】【課題】リールユニットを構成する複数のリールの動作チェックや点検に関する作業性を容易にすることが可能な遊技機を提供することを目的とする。【解決手段】パチスロ機１の前面ドア４に設けられるミドルドア３０にリールユニット４０を装着し、リールユニット４０の周囲を覆うリール収容カバー５０の所定位置には、複数のリール４１Ｌ，４１Ｃ，４１Ｒの動作チェック用の開口部５７と基板やハーネスなどの各部材の接触を防止するリール保護カバー３９が設けられる。【選択図】        図２
2007202698.tif 000002
【特許請求の範囲】
【請求項１】
遊技機本体を構成する箱体と、当該箱体に対して開閉可能に取り付けられた前面ドアと、当該前面ドアに開閉可能に取り付けられたミドルドアと、前記ミドルドアに対して着脱自在に装着され、複数種類の図柄が描かれたリールを回転可能に支持したリールユニットとを有する遊技機において、
前記リールユニットは、当該リールユニットの周囲を覆うリール収容カバーを備え、当該リール収容カバーには、前記リールに対向した位置に開口部が形成されていることを特徴とする遊技機。
【請求項２】
前記リール収容カバーの開口位置であって、少なくとも下方部分には、前記複数のリールに対するハーネス類の接触を防止するリール保護カバーが、前記前面ドアの裏面側に張り出すように形成されることを特徴とする請求項１に記載の遊技機。
【請求項３】
前記ミドルドアを構成する枠体フレームに対して、前記リール収容カバーのフランジ部が取り付け部材により取り付け固定されるとともに、前記枠体フレームとフランジ部との間には、補強板部材が設けられることを特徴とする請求項１または２に記載の遊技機。
【発明の詳細な説明】
【技術分野】
【０００１】
本発明は、複数種類の図柄を変動表示する複数のリールを回転可能に支持した小型のリールユニットとリールの回転時の演出を行なう液晶表示パネルとを有する遊技機に関し、特にリールユニットの点検や交換作業効率を向上することができる遊技機に関する。
【背景技術】
【０００２】
従来より、遊技客から投入されるメダル若しくはＢＥＴ操作後にスタートレバーを操作して３つのリールを回転駆動させるとともに、各リールに対応する停止ボタンの押下により各リールを停止させ、リール表示窓内に止まった絵柄の組み合わせに応じて所定枚数のメダルを払い出すパチスロ機が知られている。
【０００３】
また、近年では、リール回転時の演出効果をより増大させるために、音声などで様々な演出を行なうスピーカや大型の液晶表示パネルを備えたパチスロ機もあり、この種のパチスロ機の場合、スピーカによる音声や液晶表示パネルによる演出効果により大当りが近づく期待感を抱くことができ、遊技の興趣性を向上させることが可能となる。
【０００４】
この種のリール回転時の演出効果や期待感を増大するように構成したパチスロ機として、例えば、特許文献１には、小型に形成したメインリールと大型に形成したサブリールを備えるとともに、サブリールにメインリールによる演出を盛り上げる図柄を表示するように構成した遊技機が開示されている（例えば、特許文献１参照）。
【０００５】
この特許文献１によれば、メインリールよりも大型に形成されたサブリールによりメインリールによる演出表示の補助を行なうとともに、このサブリールの表示により演出効果を増大させ、もって遊技の興趣性を向上させることが可能となる。
【０００６】
【特許文献１】特開２００３−３３９９４５号公報
【発明の開示】
【発明が解決しようとする課題】
【０００７】
ところで、上述したように、各種の演出を行なう大型の液晶表示パネル或いは、サブリールを備えたパチスロ機の場合、リールユニットを小型の構成とすることができるため、このリールユニットをパチスロ機の本体内部ではなく、パチスロ機の前面ドアに装着させることができる。
【０００８】
ところが、このように小型のリールユニットをパチスロ機の前面ドアに装着させることができるが、このリールユニットの交換作業やリールの動作チェックなどの点検を行なう場合に、交換作業や点検時の作業性が悪化したりリールユニット（リール）に対する傷付きや破損が発生するという問題がある。
【０００９】
すなわち、実際にパチスロ機の前面ドアにリールユニットを装着させる場合には、前面ドアにミドルドア（一体型メインユニット）を取り付け、このミドルドアに対してリールユニットを装着する構成となる。このため、リールユニット(リール)の交換作業や点検時などには前面ドアを開けて交換や点検を行なうこととなるが、この場合、ミドルドアにリールユニットが装着されているため前面ドアに取り付けられたミドルドアを取り外す作業及びミドルドアに装着されたリールユニットを取り外す作業が必要となる。
【００１０】
このため、リールユニット（リール）の点検時に、このリールユニットと前ドアに設けている基板類やハーネスなどとが接触する恐れがあり、これにより、リールユニットに傷付きや破損などが発生する可能性がある。
【００１１】
ここで、リールユニットをリール収容カバーなどで覆う構成とした場合、このリール収容カバーによりリールユニットに対する傷付きや破損から保護することは可能となるが、一方、リールユニットを点検する時などでは、このリール収容カバーを点検の都度、取り外す必要が生じるため、作業が面倒になるという問題が発生する。
【００１２】
そこで、この発明は、上述した従来技術の課題を解決するためになされたものであり、リールユニットを傷付きや破損などから保護することが可能であり、且つ、リールユニットのリールに対する動作チェックや点検および交換に関する作業性を容易にすることが可能な遊技機を提供することを目的とする。
【課題を解決するための手段】
【００１３】
上述した課題を解決するため、本発明は、遊技機本体を構成する箱体と、当該箱体に対して開閉可能に取り付けられた前面ドアと、当該前面ドアに開閉可能に取り付けられたミドルドアと、当該ミドルドアに対して着脱自在に装着され、複数種類の図柄が描かれたリールを回転可能に支持したリールユニットとを有する遊技機において、前記リールユニットは、当該リールユニットの周囲を覆うリール収容カバーを備え、当該リール収容カバーには、前記リールに対向した位置に開口部が形成されていることを特徴とする。
【００１４】
本発明によれば、遊技機は、前面ドアに開閉可能に取り付けられたミドルドアと、ミドルドアに対して着脱自在に装着され、複数種類の図柄が描かれたリールを回転可能に支持したリールユニットとを有し、リールユニットは、当該リールユニットの周囲を覆うリール収容カバーを備えており、リール収容カバーには、リールに対向した位置に開口部が形成される構成としたので、リールユニットが設けられるミドルドアが前面ドアに対して開閉可能に構成されていることから、リールユニットの交換を行なう場合、前面ドアに対してミドルドアを開放し、その状態でリールユニットの交換作業や点検などが行なえるため、作業性を向上させることができる。また、リールユニットはミドルドアに支えられているため、安定した状態で、このリールユニットの交換作業や点検などが行なえることから、リールユニットの脱落などの防止が期待され、リールに対する傷付きや破損の防止にもつながる。さらに、ミドルドアを前面ドアから開放せずとも、リールの動作チェックは、リール収容カバーを取り外すことなく、リール収容カバーに形成された開口部から指などを入れてリールを動作させることができるため、ミドルドアを前面ドアから開放する手間を省くことができる。
【００１５】
また、本発明は、上記発明において、前記リール収容カバーの開口位置であって、少なくとも下方部分には、前記複数のリールに対する接触を防止するリール保護カバーが、前記前面ドアの裏面側に張り出すように形成されることを特徴とする。
【００１６】
本発明によれば、リール収容カバーの開口位置であって、少なくとも下方部分には、複数のリールに対する接触を防止するリール保護カバーが、前面ドアの裏面側に張り出すように形成されているので、前面ドアにミドルドアを取り付ける際に、このミドルドアに装着されたリールユニットが前面ドアの内部に配設されている基板類に接触することを防止することができる。また、基板類の周辺に配設されているハーネスなどが、リールユニットの内部に侵入し噛み込まれることが阻止され、これにより、リールユニットの破損などを防止することができる。
【００１７】
また、本発明は、上記発明において、前記ミドルドアを構成する枠体フレームに対して、前記リール収容カバーのフランジ部が取り付け部材により取り付け固定されるとともに、前記枠体フレームとフランジ部との間には、補強板部材が設けられることを特徴とする。
【００１８】
本発明によれば、ミドルドアを構成する枠体フレームに対して、リール収容カバーのフランジ部が取り付け部材により取り付け固定されるとともに、枠体フレームとフランジ部との間には、補強板部材を設ける構成としたので、ミドルドアを構成する枠体フレームとリール収容カバーとの結合部分の取り付け強度を向上することができ、これにより、ミドルドアの開閉時やミドルドアからリールユニットを取り外す際のリールユニット（リール）及びリール収容カバーの破損などを防止することができる。
【発明の効果】
【００１９】
本発明によれば、リールユニットの点検（リールの動作チェック）やリールユニットの交換を行なう場合などに、リールユニット（リール）の交換作業や点検時の作業性を向上させることができるとともに、リールユニットに対する傷付きや破損を防止することが可能になる。
【発明を実施するための最良の形態】
【００２０】
以下に添付図面を参照して、本発明に係る遊技機の好適な実施例を詳細に説明する。なお、本発明はメダル、コイン、遊技球又はトークンなどを遊技媒体として用いる各種遊技機に適用することができるが、ここでは本発明をメダルを遊技媒体として用いるパチスロ機に適用した場合を示すこととする。
【実施例】
【００２１】
まず、本実施例に係るパチスロ機１の特徴と外観構成について図１を用いて説明する。図１は、本実施例に係るパチスロ機１の外観構成を示す斜視図である。同図に示すように、パチスロ機１は、パチスロ遊技時の画像表示による各種演出（ゲームの興趣を増大する演出）や待機時のデモ表示などを行なう比較的に大型の液晶表示パネル５と小型のリールユニット４０とを備えた遊技機として構成されている。
【００２２】
また、パチスロ機１の上部には、左右対称位置にスピーカ６Ｌ，６Ｒが設けられており、これらのスピーカ６Ｌ，６Ｒからも遊技時の演出に関する効果音や音声などによる演出音を出力するように構成されている。
【００２３】
同図に示すように、パチスロ機１の全体を形成している筐体２は、箱状のキャビネット３と、このキャビネット３を開閉する前面ドア４とを備える。また、このパチスロ機１の前面ドア４の正面中央部には、上方に向けて斜行状に形成されたリールユニット４０用のリールボックス１０が設けられ、ここに前面ドア４の内側からミドルドア３０（図２）に設けられたリールユニット４０が装着されている。
【００２４】
すなわち、リールユニット４０は、小型に形成され、前面ドア４の裏面側からミドルドア３０（図２）を介して装着されている。リールユニット４０には、複数種類の図柄が各々の外周面に描かれた３個のリール４１Ｌ，４１Ｃ，４１Ｒが回転自在に横一列に設けられており、各リール４１Ｌ，４１Ｃ，４１Ｒは、一定の速度（例えば、８０回転／分）で回転する。
【００２５】
また、このリールユニット４０には、リール４１Ｌ，４１Ｃ，４１Ｒを保護するためのリール収容カバー５０（図２）が取り付けられている。なお、このリールユニット４０及びリール収容カバー５０は、本発明の特徴部分であるため、構成及び詳細については、後述する。
【００２６】
また、リールボックス１０の内部には、縦長矩形状に形成された窓枠表示領域１１Ｌ，１１Ｃ，１１Ｒが設けられている。この窓枠表示領域１１Ｌ，１１Ｃ，１１Ｒは、リール４１Ｌ，４１Ｃ，４１Ｒの前面に配置された図柄表示領域の窓枠を表したものであり、各図柄表示領域を囲むように設けられている。
【００２７】
すなわち、この窓枠表示領域１１Ｌ，１１Ｃ，１１Ｒは、各リール４１Ｌ，４１Ｃ，４１Ｒに対応して設けられており、リール４１Ｌ，４１Ｃ，４１Ｒ上に配置された図柄の表示や種々の演出を表示する。
【００２８】
また、窓枠表示領域１１Ｌ，１１Ｃ，１１Ｒには、水平方向にトップライン１２ｂ、センタライン１２ｃ及びボトムライン１２ｄの表示ラインが設けられ、斜め方向にクロスアップライン１２ａ及びクロスダウンライン１２ｅの表示ラインが設けられる。
【００２９】
また、液晶表示パネル５の左側には、払出表示部７ａ及びクレジット表示部７ｂが設けられている。これら払出表示部７ａ及びクレジット表示部７ｂは、それぞれ７セグメントのＬＥＤにより形成され、払出表示部７ａには入賞が成立した時（役が成立した時）のメダル払出枚数が表示され、クレジット表示部７ｂにはクレジットされている残メダル枚数が表示される。なお、通常はパチスロ機１にクレジットされる最大枚数は５０枚であるので、このクレジット表示部７ｂに表示されるクレジット枚数は５０以下となる。
【００３０】
リールボックス１０の下方には、略水平面をなす台座部２０が設けられている。この台座部２０の右側には、メダルを投入するためのメダル投入口２１が設けられており、このメダル投入口２１に投入されたメダルは、クレジットされるか又はゲームに賭けられる。
【００３１】
また、台座部２０の左側には、クレジットされているメダルを賭けるための１−ＢＥＴボタン２２、２−ＢＥＴボタン２３、ＭＡＸ−ＢＥＴボタン２４が設けられている。１−ＢＥＴボタン又は２−ＢＥＴボタンによりメダルの１枚賭け又は２枚賭けを行うことができ、ＭＡＸ−ＢＥＴボタンにより最大枚数のメダル（通常は３枚）を賭けることができる。
【００３２】
遊技者が各ＢＥＴボタン２２，２３，２４を押下操作するか又は遊技者がメダル投入口２１に３枚のメダルを投入した場合には、５本の表示ライン（ライン１２ａ，１２ｂ，１２ｃ，１２ｄ，１２ｅ）が有効となり、遊技者がメダル投入口２１に１枚又は２枚のメダルを投入した場合には、それぞれ１本（センタライン１２ｃ）又は３本（トップライン１２ｂ、センタライン１２ｃ及びボトムライン１２ｄ）の表示ラインが有効となる。
【００３３】
リールボックス１０の左側には、ＢＥＴランプ１３ａ〜１３ｃが設けられている。これらＢＥＴランプ１３ａ〜１３ｃは、１ゲームを行なうために賭けられたメダルの数（以下「ＢＥＴ数」と言う）に応じて点灯するランプであり、具体的には、ＢＥＴランプ１３ａは、ＢＥＴ数が１以上である場合に点灯し（１本の表示ラインが有効化）、ＢＥＴランプ１３ｂは、ＢＥＴ数が２以上である場合に点灯し（３本の表示ラインが有効化）、ＢＥＴランプ１３ｃは、ＢＥＴ数が３のときに点灯する（５本全部の表示ラインが有効化）。
【００３４】
台座部２０の前面部の左寄りには、遊技者がゲームで獲得したメダルをクレジットするか、クレジットしたメダルを払い出すかを押下操作で切り換えるＣ／Ｐボタン２５が設けられている。
【００３５】
所定枚数のメダルがクレジットされた状態でＣ／Ｐボタン２５が押下されると、クレジットが無効化され該クレジットされた枚数分のメダルが正面下部のメダル払出口８に払い出され、このメダル払出口８から払い出されたメダルはメダル受け部９に投出される。また、クレジットが無効化された状態で、このＣ／Ｐボタン２５が押下されると、クレジットが有効となる。
【００３６】
Ｃ／Ｐボタン２５の右側には、遊技者の操作によりリールユニット４０のリール４１Ｌ，４１Ｃ，４１Ｒを回転駆動させ、図柄の変動表示を開始させるスタートレバー２６が所定の角度範囲で回動自在に取り付けられている。
【００３７】
台座部２０の前面部中央で、スタートレバー２６の右側には、３個のリール４１Ｌ，４１Ｃ，４１Ｒの回転をそれぞれ停止させるための３個の停止ボタン２７Ｌ，２８Ｃ，２９Ｒが設けられている。なお、１ゲーム（単位遊技）は、スタートレバー２６が操作されることによって開始され、全てのリール４１Ｌ，４１Ｃ，４１Ｒが停止したときに終了する。
【００３８】
次に、図２〜図４を参照して、パチスロ機１の前面ドア４およびミドルドア（一体型メインユニット）３０の構成の詳細について説明する。図２は、パチスロ機１の前面ドア４を開いた状態の斜視図を、図３は、ミドルドア３０の全体構成の表面図を、図４は、ミドルドア３０の全体構成の裏面図をそれぞれ示している。
【００３９】
図２に示すように、前面ドア４はパチスロ機１に対して、開閉自在に設けられ、前面ドア４の裏面には、上からスピーカ６Ｌ，６Ｒと副制御回路基板８０が取り付けられている。また、この前面ドア４のほぼ中央部には、ミドルドア３０が取り付け固定されている。ミドルドア３０は、前面ドア４に対して、支持部材６０(図３)により開閉自在に支持されており、このミドルドア３０には、３個のリール４１Ｌ，４１Ｃ，４１Ｒを備えたリールユニット４０(図５)が装着されている。
【００４０】
また、ミドルドア３０の下側にはホッパ（メダル払出装置）８１が設置され、このホッパ８１の下側には、遊技メダル払出用のカウンタスイッチ８２が設けられている。さらに、キャビネット３の底部の左側には、パチスロ機１のキャビネット３内に装着された各部品に電力を供給する電源部８３が設けられている。
【００４１】
図３及び図４に示すように、ミドルドア３０は、全体が３箇所（上部に２箇所、下部に１箇所）のフランジ部３２を有する矩形型に形成されたミドルドア本体部３１と、片側（図３の右側、図４の左側）に延出するように形成された３箇所のヒンジアーム３３、３４により構成されている。
【００４２】
一対のヒンジアーム３３、３４は、前面ドア４に取り付け固定された支持部材６０に対して、片持ち支持されており、ミドルドア３０を開閉自在とする構成としている。これら一対のヒンジアーム３３の先端部（図３の右方下端部）には、下方に向けて突出した支持軸３３ａが設けられ、この支持軸３３ａは、支持部材６０の枢軸孔（図示せず）に嵌入されている。これにより、ミドルドア３０は前面ドア４に対して開閉自在となっている。
【００４３】
また、他方のヒンジアーム３４は、ミドルドア本体部３１から下方に向けて斜行するヒンジアームとして構成されるとともに、このヒンジアーム３４の先端部（図３の右方下端部）には、下方に向けて突出した支持軸３４ａが設けられ、この支持軸３４ａは、前面ドア４に設けた突起部（図示せず）に係合するとともに、突起部の凹部に嵌合する構成となっている。これによりミドルドア３０は、前面ドア４に対して、開放された状態で任意の位置に保持（停止）できる構成としている。
【００４４】
また、ミドルドア本体部３１の上部位置の左右２箇所および下部位置のフランジ部３２には、ミドルドア３０を前面ドア４に取り付けるための３個のストッパー３５が設けられている。
【００４５】
ストッパー３５は、摘み部３５ａと鉤部（図示せず）とを有しており、この摘み部３５ａを任意の角度に回動させ、前面ドア４の所定位置（フランジ部３２の中央部付近の対向位置）に形成されたロック孔（図示せず）に、鉤部を係止或いは係脱させる操作を行なうことにより、前面ドア４に対するミドルドア３０の取り付け或いは取り外しを行なうことができる。
【００４６】
また、ミドルドア本体部３１の左側には把持部３６が設けられている。把持部３６は、実際にミドルドア３０の開閉を行なう時に使用するもので、この把持部３６を手で持つことによりミドルドア３０を支持部材６０を中心に回動させ、ミドルドア３０の開放及び閉塞を行なう構成としている。このように、ミドルドア３０はリールユニット４０を支えた状態で、前面ドア４に対して開閉できる構成としているため、安定した状態でリールユニット４０の点検や交換作業を行なうことができる。
【００４７】
また、ミドルドア本体部３１の中央部（開口）は、リールユニット４０を取り付ける枠体フレーム３７として、上部は主制御回路基板７０を取り付けるための上部フレーム３８として構成されている。
【００４８】
主制御回路基板７０は、ＲＯＭ１０２（図１０）の入れ換えなどの不正を防止するために略立方体状のプラスチックにより形成された収容カバー７１の内部に設けられている。また、上述したように、主制御回路基板７０の上方位置には、副制御回路基板８０が設けられている。
【００４９】
主制御回路基板７０は、パチスロ機１の遊技処理全般の動作を制御する回路基板上に配置されたマイクロコンピュータ１００（図１０）を主たる構成要素とし、これに乱数サンプリングのための回路を加えて構成されている。マイクロコンピュータ１００は、予め設定されたプログラムに従って制御動作を行うＣＰＵ１０１及び記憶手段であるＲＯＭ１０２及びＲＡＭ１０３とを有する。なお、このマイクロコンピュータ１００の構成の詳細については、後述する。
【００５０】
主制御回路基板７０にはコネクタ７２が設けられており、このコネクタ７２には、３本のハーネス７５Ｌ，７５Ｃ，７５Ｒの基端部が接続されている。この３本のハーネス７５Ｌ，７５Ｃ，７５Ｒの先端部は、リール収容カバー５０の挿通口５５(図３)を通じて、各リール４１Ｌ，４１Ｃ，４１Ｒの駆動を制御するリール停止基板(図示せず)を介して、３個のステッピングモータ４５のそれぞれに接続されている。すなわち、主制御回路基板７０による制御指示信号によるステッピングモータ４５(図６)の駆動により、リールユニット４０のリール４１Ｌ，４１Ｃ，４１Ｒが回転する。また、この主制御回路基板７０の他方には、コネクタ７２とは別のコネクタ(図示せず)が設けられており、このコネクタには、主制御回路基板７０と副制御回路基板８０との間で制御指示信号を伝達するケーブル(図示せず)が接続されている。
【００５１】
また、副制御回路基板８０は、画像表示やランプ表示および音声出力を含む遊技の演出を制御する機能を備えている。具体的には、主制御回路基板７０から送信される制御指令に基づいて液晶表示パネル５、スピーカ６Ｌ，６Ｒおよび各種のＬＥＤ類やランプ類を制御する。
【００５２】
また、ミドルドア３０の枠体フレーム３７には、リール収容カバー５０が取り付け固定される。後述するように、リールユニット４０のリール４１Ｌ，４１Ｃ，４１Ｒを手動により動かす場合には、ミドルドア３０を開放することなくリール収容カバー５０に形成された開口部５７からリール４１Ｌ，４１Ｃ，４１Ｒを回転させ、リールの動作を点検することができる。
【００５３】
リール収容カバー５０の開口位置側（図４の下側）には、リール保護カバー３９が設けられている。このリール保護カバー３９は、リールユニット４０を構成する複数のリール４１Ｌ，４１Ｃ，４１Ｒに対する基板類ＰやハーネスＰ1，Ｐ2，Ｐ3(図８)などの接触を防止するカバーである。なお、このリール保護カバー３９の構成については、後述する。
【００５４】
次に、リールユニット４０の全体構成の詳細について説明する。図５は、ミドルドア３０に装着されたリールユニット４０の全体構成及びリール収容カバー５０の斜視図を、図６は、リール収容カバー５０をミドルドア３０の枠体フレーム３７から取り外した状態の斜視図をそれぞれ示している。
【００５５】
図５及び図６に示すように、リールユニット４０は、ミドルドア３０の内部に装着されており、このリールユニット４０を構成するリール４１Ｌ，４１Ｃ，４１Ｒは、円筒状のリールドラムと、図柄が描かれた透光性を有する長尺なリール帯(図９)とから成り、リールドラムの外周面に沿ってリール帯を貼付することによって構成されている。リールドラムは、同一形状の２つの環状フレーム同士を所定の間隔（リール幅）だけ離間させた状態で複数本の連結部材（(図示せず）によって連結することにより形成される。
【００５６】
リール４１Ｌ，４１Ｃ，４１Ｒには、ステッピングモータ４５が固設されたリールバケット４４がそれぞれ取り付けられている。このリールバケット４４の略中心位置には、リール４１Ｌ，４１Ｃ，４１Ｒの軸部を軸支する軸受部およびステッピングモータ４５の回転軸にはギヤが固設され、このギヤとリール４１Ｌ，４１Ｃ，４１Ｒのリールギヤとが噛合しており、リール４１Ｌ，４１Ｃ，４１Ｒは、ステッピングモータ４５の駆動によるリールギヤの回転により所定の方向に回転する(図９)。
【００５７】
なお、このリールユニット４０を構成するリールドラムの内側には、図柄表示領域に対応して前面ドア４に設けられた窓枠表示領域１１Ｌ，１１Ｃ，１１Ｒ（図１）に対向した
位置に、リール４１Ｌ，４１Ｃ，４１Ｒに現われる縦３列の図柄をそれぞれ照明する複数のＬＥＤランプ（図示せず）が設けられている。
【００５８】
これらのリール４１Ｌ，４１Ｃ，４１Ｒは、対応するステッピングモータ４５と共に、ミドルドア本体部３１と樹脂などにより一体成形されている枠体フレーム３７内に収容されており、１つのリールユニット４０を形成している。
【００５９】
図５及び図６に示すように、リールユニット４０には、このリールユニット４０の全体を覆うリール収容カバー５０が設けられている。このリール収容カバー５０は、全体が略円弧型に形成された主カバー部５１と一対の側面カバー部５２とにより構成され、側面カバー部５２のほぼ中央位置には、矩形状に形成されたカバーフランジ部５３が固設されている。
【００６０】
ミドルドア３０に対するリール収容カバー５０の取り付けは、ミドルドア３０の枠体フレーム３７に形成された４個のネジ孔に、中間フランジ部５２ａと補強プレート５８とを介してリール収容カバー５０のカバーフランジ部５３を４本の取付けネジ５９により締結することで行なわれる。
【００６１】
また、リール収容カバー５０の主カバー部５１の上下位置に形成された２箇所のリブ５３ａおよび側面カバー部５２に形成された２箇所のリブ５３ａとがそれぞれミドルドア３０の枠体フレーム３７の切り欠き部３７ａに係合され、これにより枠体フレーム３７に対するリール収容カバー５０の結合を強固に保時できるようになっている。
【００６２】
また、リール収容カバー５０を構成する主カバー部５１の水平部５４には、３箇所の挿通口５５が形成されている。この３箇所の挿通口５５は、主制御回路基板７０(図３)から延出された３本のハーネス７５Ｌ，７５Ｃ，７５Ｒを挿通するために形成されている。
【００６３】
前述したように、ハーネス７５Ｌ，７５Ｃ，７５Ｒの先端部は、リール停止基板(図示せず)を介して、リール４１Ｌ，４１Ｃ，４１Ｒを回転させるステッピングモータ４５に接続される。また、リール収容カバー５０を構成する主カバー部５１の下側に位置する円弧部５６には、リール４１Ｌ，４１Ｃ，４１Ｒに対向した位置に３箇所の開口部５７が形成されている。この開口部５７により、リール４１Ｌ，４１Ｃ，４１Ｒを手動で回転させることができる。
【００６４】
具体的に説明すると、このリール収容カバー５０に形成された開口部５７に指を入れて、リールの動作状態（回転動作）をチェックするリールユニット４０の点検時や遊技店の開店時などにパチスロ機１の図柄を手動により「７」などに揃えるために形成されている。
【００６５】
実際には、遊技店の従業員などがリール収容カバー５０に形成された開口部５７に指を入れて、リール４１Ｌ，４１Ｃ，４１Ｒを手動で回転させるなどの点検を行なう場合に利用することができる。
【００６６】
リール４１Ｌ，４１Ｃ，４１Ｒの動く方向（手動により回転できる方向）は、開口部５７に隣接して設けられたシール（矢印マークＡ）により示されているように、両方向（正逆回転方向）に対して回転させることが可能である。
【００６７】
なお、本実施例では、リール収容カバー５０に開口部５７を形成し、この開口部５７によりリール４１Ｌ，４１Ｃ，４１Ｒを指で動かし、動作チェックを行なうこととしているが、挿通口５５の長さ寸法を延長させ、この挿通口５５を動作チェック用の開口部として利用するように構成してもよい。
【００６８】
以上のように構成されるリールユニット４０によると、リールユニット４０が設けられるミドルドア３０が前面ドア４に対して開閉可能に構成されていることから、リールユニット４０の交換を行なう場合、前面ドア４に対してミドルドア３０を開放し、その状態でリールユニット４０の交換作業や点検などが行なえるため、作業性を向上させることができる。また、リールユニット４０はミドルドア３０に支えられているため、安定した状態で、このリールユニット４０の交換作業や点検などが行なえることから、リールユニット４０の脱落などの防止が期待され、リール４１Ｌ，４１Ｃ，４１Ｒに対する傷付きや破損の防止にもつながる。
【００６９】
また、ミドルドア３０を前面ドア４から開放せずとも、リールの動作チェックは、リールユニット４０を保護しているリール収容カバー５０を取り外すことなく、リール収容カバー５０に形成された開口部５７から指などを入れてリールを動作させることができるため、ミドルドア３０を前面ドア４から開放する手間を省くことができる。
【００７０】
次に、リールユニット４０に設けられる補強プレート５８について、図６及び図７を参照して説明する。図７は、ミドルドア３０に結合されたリール収容カバー５０の側面を示す要部断面図である。
【００７１】
図６及び図７に示すように、リール収容カバー５０のカバーフランジ部５３とミドルドア３０を構成する枠体フレーム３７との間には、補強プレート５８が設けられている。すなわち、ミドルドア３０の枠体フレーム３７及びリール収容カバー５０は樹脂製などにより構成されているため、両者の結合部の間に補強プレート５８を介在させることにより、リール収容カバー５０のカバーフランジ部５３をミドルドア３０の枠体フレーム３７に取付けネジ５９などで固定する際の取り付け強度を向上することができる。これにより、リール収容カバー５０のカバーフランジ部５３の破損などを回避することができる。
【００７２】
また、ミドルドア３０の開閉操作時やリールユニット４０の交換および点検時の振動などよる結合不良及びリール収容カバー５０や取付けネジ５９の脱落などを防止することができる。
【００７３】
次に、リール収容カバー５０に設けられたリール保護カバー３９について説明する。図８は、リール収容カバー５０に設けられたリール保護カバー３９の要部断面図を示している。
【００７４】
すなわち、同図に示すように、リール収容カバー５０の開口位置側（図４の下側、図８の左方の下側）には、リールユニット４０のリール４１Ｌ，４１Ｃ，４１Ｒに対する基板類Ｐなどの接触を防止するためのリール保護カバー３９が、前面ドア４の裏面側に張り出すように形成されている。
【００７５】
具体的に説明すると、図８に示すように、前面ドア４の内部には、スタートレバー２６を構成する部材や停止ボタン２７Ｌ，２８Ｃ，２９Ｒ（図８では、停止ボタン２９Ｒのみを示す）用の基板類ＰやハーネスＰ1，Ｐ2，Ｐ3が多数配設されている。このため、リールユニット４０の交換作業時などでは、リール４１Ｌ，４１Ｃ，４１Ｒに対して、これら基板類Ｐなどが接触する可能性あがる。そして、例えば、リール４１Ｌ，４１Ｃ，４１Ｒと基板類Ｐとが接触した場合には、リール４１Ｌ，４１Ｃ，４１Ｒが傷付いたりリールユニット４０の内部にハーネスＰ1，Ｐ2，Ｐ3の内のいずれかのハーネスが侵入し、噛み込んだ場合には、リール４１Ｌ，４１Ｃ，４１Ｒを回転させる駆動系統の故障原因となる。
【００７６】
このため、本実施例では、リール保護カバー３９を設けることにより、前面ドア４にミドルドア３０を取り付ける際に、前面ドア３０の内部に配置されている基板類ＰやハーネスＰ1，Ｐ2，Ｐ3などがリールユニット４０のリール４１Ｌ，４１Ｃ，４１Ｒに接触したり内部にハーネスＰ1，Ｐ2，Ｐ3が噛み込まれることを確実に防止することができる。
【００７７】
次に、本実施例で用いるリール４１Ｌ，４１Ｃ，４１Ｒ上に表される図柄の一例について説明する。図９は、本実施例で用いるリールユニット４０のリール４１Ｌ，４１Ｃ，４１Ｒ上に表される図柄の一例を示す図である。なお、本実施例で示すリールユニット４０には、小型のリール４１Ｌ，４１Ｃ，４１Ｒが採用されているが、これらリール４１Ｌ，４１Ｃ，４１Ｒには、通常と同様の図柄を有するように構成されている。
【００７８】
同図に示すように、各リール４１Ｌ，４１Ｃ，４１Ｒには、複数種類の図柄が２１個配列された図柄列が表わされており、各図柄には“００”〜“２０”のコードナンバーが付与され、このコードナンバーは主制御回路基板７０に備えたデータテーブルとして後述するマイクロコンピュータ１００のＲＯＭ１０２（図１０）内に記憶されている。
【００７９】
具体的には、各リール４１Ｌ，４１Ｃ，４１Ｒ上には、“赤７（図柄９１）”、“青７（図柄９２）”、“BAR（図柄９３）”、“ベル（図柄９４）”、“スイカ（図柄９５）”、“Replay（図柄９６）”及び“チェリー（図柄９７）”の図柄で構成される図柄列が表わされている。各リール４１Ｌ，４１Ｃ，４１Ｒは、図柄列が図中に示した矢印方向に移動するように回転駆動される。
【００８０】
ここで、本実施例では、ＲＢ（レギュラーボーナス）、リプレイ、スイカの小役、ベルの小役、上下チェリーの小役及び中チェリーの小役を「役」として採用している。ＲＢは、第１種特別役物である。この役（役データ）は、基本的に、遊技者に付与される利益と図柄組合せとが対応付けられた制御情報であり、リール４１Ｌ，４１Ｃ，４１Ｒの停止制御、遊技状態の切り換え（移行）、遊技価値の付与などに用いられる制御情報である。なお、本実施例で示す図柄９３の「BAR」は、上記ＲＢを示すものではなく小役払出のない絵柄である。
【００８１】
図１０は、図１に示したパチスロ機１の内部構成を示すブロック図である。図１に示すように、このパチスロ機１は、パチスロ機１の遊技処理動作を制御する主制御回路基板７０と、この主制御回路基板７０に電気的に接続される各種の周辺装置（アクチュエータ）と、主制御回路基板７０から送信される制御指令に基づいて液晶表示パネル５、スピーカ６Ｌ，６Ｒ及び各種のＬＥＤ類及びランプ類を制御する副制御回路基板８０とが含まれる。
【００８２】
主制御回路基板７０は、前述したように、回路基板上に配置されたマイクロコンピュータ１００を主たる構成要素とし、これに乱数サンプリングのための回路を加えて構成されている。すなわち、同図に示すように、マイクロコンピュータ１００は、予め設定されたプログラムに従って制御動作を行なうＣＰＵ１０１と、記憶手段であるＲＯＭ１０２及びＲＡＭ１０３とを有する。
【００８３】
ＣＰＵ１０１には、基準クロックパルスを発生するクロックパルス発生回路１０４及び分周器１０５と、サンプリングされる乱数を発生する乱数発生器１０６及びサンプリング回路１０７とが接続されている。なお、マイクロコンピュータ１００内のＣＰＵ１０１上で乱数サンプリング用プログラムを実行してソフトウエア的に乱数ランプリングを行なうこともできる。この場合、乱数発生器１０６及びサンプリング回路１０７を省略することができる。
【００８４】
マイクロコンピュータ１００のＲＯＭ１０２には、スタートレバー２６（図１）を操作（スタート操作）する毎に行われる乱数サンプリングの判定に用いられる確率抽選テーブルや停止用当選役決定テーブル、停止ボタン２７Ｌ，２８Ｃ，２９Ｒ(図１)の操作に応じてリールの停止態様を決定するための停止テーブル群などが格納されている。
【００８５】
また、このＲＯＭ１０２には、副制御回路基板８０へ送信するための各種制御指令（コマンド）などが格納されている。ここで、副制御回路基板８０が主制御回路基板７０へコマンド、情報等を入力することはなく、主制御回路基板７０から副制御回路基板８０への一方向で通信が行なわれる。ＲＡＭ１０３には、内部当選役、持越役、現在の遊技状態などの種々の情報が格納される。
【００８６】
マイクロコンピュータ１００からの制御信号により動作が制御される主要なアクチュエータとしては、同図に示すＢＥＴボタン（１−ＢＥＴボタン２２，２−ＢＥＴボタン２３，最大ＢＥＴボタン２４）と、払出表示部７ａクレジット表示部７ｂなどの表示部と、メダルを収納しホッパー駆動回路１１５の命令により所定枚数のメダルを払出すためのホッパー８１（払出し用の駆動部を含む）と、リール４１Ｌ，４１Ｃ，４１Ｒを回転駆動するステッピングモータ４５とがある。
【００８７】
また、ステッピングモータ４５を駆動制御するモータ駆動回路１１２、ホッパー８１を駆動制御するホッパー駆動回路１１５、ＢＥＴランプ１３ａ，１３ｂ，１３ｃを駆動制御するランプ駆動回路１１３並びに払出表示部７ａ、クレジット表示部７ｂなどの表示部を駆動制御する表示部駆動回路１１４がＣＰＵ１０１の出力部に接続されている。これらの駆動回路は、それぞれＣＰＵ１０１から出力される駆動指令などの制御信号を受けて、各アクチュエータの動作を制御する。
【００８８】
また、マイクロコンピュータ１００へは、スタートスイッチ２６Ｓ、停止スイッチ２７ＬＳ，２８ＣＳ，２９ＲＳ、ＢＥＴボタン（１−ＢＥＴボタン２２，２−ＢＥＴボタン２３，最大ＢＥＴボタン２４）、Ｃ／Ｐボタン２５、メダルセンサ２１Ｓ、リール位置検出回路１１１、払出完了信号回路１１６から入力信号が入力され、これらに基づいて制御指令が発生される。
【００８９】
スタートスイッチ２６Ｓは、スタートレバー２６（図１）の操作を検出するスイッチであり、メダルセンサ２１Ｓは、メダル投入口２１（図１）に投入されたメダルを検出するセンサである。停止スイッチ２７ＬＳ，２８ＣＳ，２９ＲＳは、それぞれ対応する停止ボタン２７Ｌ，２８Ｃ，２９Ｒの操作に応じて停止信号を発生するスイッチである。
【００９０】
リール位置検出回路１１１は、リール回転センサからのパルス信号を受けて各リール４１Ｌ，４１Ｃ，４１Ｒの位置を検出するための信号をＣＰＵ１０１へ供給する回路である。払出完了信号回路１１６は、メダル検出部８１Ｓの計数値（ホッパー８１から払出されたメダルの枚数）が指定された枚数データに達した時にメダル払出完了を示す信号を発生する。
【００９１】
乱数発生器１０６は、一定の数値範囲に属する乱数を発生し、サンプリング回路１０７は、スタートレバー２６（図１）が操作された後の適宜のタイミングで乱数をサンプリングする。こうしてサンプリングされた乱数を使用することにより、例えばＲＯＭ１０２内に格納されている確率抽選テーブルなどに基づいて内部当選役などが決定される。
【００９２】
リール４１Ｌ，４１Ｃ，４１Ｒの回転が開始された後、ステッピングモータ４５の各々に供給される駆動パルスの数が計数され、その計数値がＲＡＭ１０３の所定エリアに書き込まれる。リール４１Ｌ，４１Ｃ，４１Ｒからは一回転毎にリセットパルスが得られ、これらのパルスはリール位置検出回路１１１を介してＣＰＵ１０１に入力される。このようにして得られたリセットパルスにより、ＲＡＭ１０３で計数されている駆動パルスの計数値が“０”にクリアされる。これにより、ＲＡＭ１０３内には、各リール４１Ｌ，４１Ｃ，４１Ｒについて一回転の範囲内における回転位置に対応した計数値が格納される。
【００９３】
上記のようなリール４１Ｌ，４１Ｃ，４１Ｒの回転位置とリール外周面上に描かれた図柄とを対応づけるために、図柄テーブル（図示せず）が、ＲＯＭ１０２内に格納されている。この図柄テーブルでは、前述したリセットパルスが発生する回転位置を基準として、各リール４１Ｌ，４１Ｃ，４１Ｒの一定の回転ピッチ毎に順次付与されるコードナンバー（“００”〜“２０”）と、それぞれのコードナンバー毎に対応して設けられた図柄を示す図柄コードとが対応付けられている。
【００９４】
また、ＲＯＭ１０２内には、役の成立（入賞など）となる図柄の組合せと、入賞のメダル配当枚数と、その入賞（成立）を表わす入賞判定コード（成立判定コード）とが対応づけられた図柄組合せテーブル（図示せず）が格納されている。この図柄組合せテーブルは、左のリール４１Ｌ，中央のリール４１Ｃ，右のリール４１Ｒの停止制御時並びに全リール４１Ｌ，４１Ｃ，４１Ｒの停止後の入賞確認（表示役の確認）を行なう際に参照される。表示役（表示役データ）は、有効ラインに沿って並ぶ図柄組合せに対応する役（成立役）であり、遊技者にはこの表示役に対応する利益が付与される。
【００９５】
ＣＰＵ１０１は、上記乱数サンプリングに基づく抽選処理（確率抽選処理など）により内部当選役や停止用当選役を決定したならば、遊技者が停止ボタン２７Ｌ，２７Ｃ，２７Ｒを操作したタイミングで停止スイッチ２７ＬＳ，２７ＣＳ，２７ＲＳから送られる操作信号並びに決定された停止テーブルに基づいて、リール４１Ｌ，４１Ｃ，４１Ｒを停止制御する信号をモータ駆動回路１１２に送出する。
【００９６】
また、ＣＰＵ１０１は、当選した役の入賞を示す停止態様（即ち入賞態様）になれば、払出指令信号をホッパー駆動回路１１５に供給してホッパー８１から所定個数のメダルの払出を行なう。その際、メダル検出部８１Ｓは、ホッパー８１から払出されるメダルの枚数を計数し、その計数値が指定された数に達した時にメダル払出完了信号がＣＰＵ１０１に入力される。これにより、ＣＰＵ１０１は、ホッパー駆動回路１１５を介してホッパー８１の駆動を停止し、メダル払出処理を終了することになる。
【００９７】
上述してきたように、本実施例のパチスロ機１は、このパチスロ機１の前面ドア４に設けられたミドルドア３０にはリールユニット４０が装着されるとともに、リールユニット４０の周囲を覆うリール収容カバー５０の所定位置には、各リール４１Ｌ，４１Ｃ，４１Ｒの動作チェック用の開口部５７を設けるように構成したので、リールユニット４０が設けられるミドルドア３０が前面ドア４に対して開閉可能に構成されていることから、リールユニット４０の交換を行なう場合、前面ドア４に対してミドルドア３０を開放し、その状態でリールユニット４０の交換作業や点検などが行なえるため、作業性を向上させることができる。
【００９８】
また、リールユニット４０はミドルドア３０に支えられているため、安定した状態で、このリールユニット４０の交換作業や点検などが行なえることから、リールユニット４０の脱落などの防止が期待され、リール４１Ｌ，４１Ｃ，４１Ｒに対する傷付きや破損の防止にもつながる。また、ミドルドア３０を前面ドア４から開放せずとも、リールの動作チェックは、リール収容カバー５０を取り外すことなく、リール収容カバー５０に形成された開口部５７から指などを入れてリールを動作させることができるため、ミドルドア３０を前面ドア４から開放する作業や手間を省くことができる。
【００９９】
また、リール４１Ｌ，４１Ｃ，４１Ｒに対する基板類ＰやハーネスＰ1，Ｐ2，Ｐ3などの各部材の接触や噛み込みを防止するリール保護カバー３９を設けるように構成したので、リールユニット４０を前面ドア３０のミドルドア３０に装着させる際に、この前面ドア３０の内部に配置されている基板類ＰやハーネスＰ1，Ｐ2，Ｐ3などがリールユニット４０のリール４１Ｌ，４１Ｃ，４１Ｒに接触したり、内部にハーネスＰ1，Ｐ2，Ｐ3が噛み込まれることを確実に防止することができる。
【産業上の利用可能性】
【０１００】
以上のように、本発明に係る遊技機は、小型のリールユニット及び演出用の液晶表示パネルを有する遊技機に有用であり、特に、リールユニットの動作チェックや点検に関する作業性を容易となる遊技機に適する。
【図面の簡単な説明】
【０１０１】
【図１】パチスロ機の外観構成を示す斜視図である。
【図２】パチンコ機の前面ドアを開いた状態を示す斜視図である。
【図３】ミドルドアの全体構成の表面側を示す平面図である。
【図４】ミドルドアの全体構成の裏面側を示す平面図である。
【図５】ミドルドアに装着されたリールユニット及びリール収容カバーを示す斜視図である。
【図６】図５に示したリールユニットとリール収容カバーとの分解構成図である。
【図７】ミドルドアに結合されたリール収容カバーを示す要部断面図である。
【図８】リールユニットが装着された前カバーおよびミドルドアを示す要部断面図である。
【図９】リール上に表される図柄の一例を示す説明図である。
【図１０】パチスロ機の回路構成を示すブロック図である。
【符号の説明】
【０１０２】
１  パチスロ機
２  筐体
３  キャビネット
４  前面ドア
５  液晶表示パネル
６Ｌ，６Ｒ  スピーカ
７ａ  払出表示部
７ｂ  クレジット表示部
８  メダル払出口
９  メダル受け部
１０  リールボックス
１１Ｌ，１１Ｃ，１１Ｒ  窓枠表示領域
１２ａ  クロスアップライン
１２ｂ  トップライン
１２ｃ  センタライン
１２ｄ  ボトムライン
１２ｅ  クロスダウンライン
２０  台座部
２６    スタートレバー
２７Ｌ，２７Ｃ，２７Ｒ    停止ボタン
３０  ミドルドア
３１  ミドルドア本体部
３２  フランジ部
３３，３４  ヒンジアーム
３５  ストッパー
３５ａ  摘み部
３６  把持部
３７  枠体フレーム
３７ａ  係合孔
３８  上部フレーム
４０  リールユニット
４１Ｌ，４１Ｃ，４１Ｒ  リール
４４  リールバケット
４５  ステッピングモータ
５０  リール収容カバー
５１  主カバー部
５２  側面カバー部
５２ａ  リブ
５３  カバーフランジ部
５４  水平部
５５  挿通口
５６  円弧部
５７  開口部
５８  補強プレート
５９  取付けネジ
６０  支持部材
７０  主制御回路基板
７１  収容カバー
７２  コネクタ
７４，７５  ハーネス
８０    副制御回路基板
８１  ホッパー
８２  カウンタスイッチ
８３  電源部
１１１  リール位置検出回路
１１２  モータ駆動回路
１１３  ランプ駆動回路
１１４  表示部駆動回路
１１５  ホッパー駆動回路
１１６  払出完了信号回路
【図１】
2007202698.tif 000003
【図２】
2007202698.tif 000004
【図３】
2007202698.tif 000005
【図４】
2007202698.tif 000006
【図５】
2007202698.tif 000007
【図６】
2007202698.tif 000008
【図７】
2007202698.tif 000009
【図８】
2007202698.tif 000010
【図９】
2007202698.tif 000011
【図１０】
2007202698.tif 000012